(57)【特許請求の範囲】
【請求項１】
互いに嵌合可能な開口部を有する導電性の一対の筐体からなり、第１筐体には、有線放送システムのセンタ装置から端末側に至る伝送線に直列に接続するための一対の入・出力端子を設け、第２筐体には、前記伝送線を流れる伝送信号を加入者側端末装置に分岐出力するための複数の分岐出力端子を設けた密閉筐体を備え、該密閉筐体内に、前記入・出力端子間を接続して前記伝送線を流れる伝送信号を通過させると共に、該伝送信号の一部を分岐させる分岐回路、該分岐回路による分岐後の伝送信号を複数に分配して前記各分岐出力端子に夫々出力する分配回路、該分配回路から前記各分岐出力端子に至る信号経路を夫々導通・遮断する複数のリレー、前記分岐回路にて分岐された伝送信号を取り込み、該伝送信号に重畳された、前記センタ装置から当該装置に対する指令信号を受信する受信回路、及び、該受信回路にて受信された指令信号に応じて前記各リレーを各々駆動することにより、前記各信号経路の導通・遮断状態を前記センタ装置からの指令に従い制御する制御回路、を収納した有線放送システムの分岐装置であって、
前記密閉筐体内では、前記分配回路と前記リレーとが組み付けられた分配回路基板、前記受信回路と前記制御回路とが組み付けられた制御回路基板、及び、前記分岐回路が組み付けられた分岐回路基板が、前記第２筐体側から順に配置され、
前記分配回路基板において、前記第２筐体と対向する側の基板面には、前記各リレーが実装されると共に、該各リレー、及び、該各リレーと前記第２筐体側の各分岐出力端子との接続部を夫々囲むように接地用パターンが形成され、
前記第２筐体の前記分配回路基板との対向面には、前記各分岐出力端子の周囲を囲み、且つ、前記分配回路基板の前記接地用パターンに当接して、前記各リレー及び各リレーと前記各分岐出力端子との接続部を夫々隔離する隔壁が立設されたことを特徴とする有線放送システムの分岐装置。
【請求項２】
前記分配回路基板において、前記制御回路基板と対向する側の基板面には、前記各リレーへの伝送信号入力用の配線パターンと、前記各リレーからの伝送信号出力用の配線パターンとが形成されると共に、これら各配線パターンの間に接地用パターンが形成され、
前記分配回路基板と前記制御回路基板との間には、
前記分配回路から前記各リレーに至る配線パターンを被覆可能な板状部と、該板状部の分配回路基板側の板面に立設され、前記分配回路基板の接地用パターンに当接して、前記各リレーへの伝送信号入力用の配線パターンと前記各リレーからの伝送信号出力用の配線パターンとを隔離する隔壁部とからなるシールドカバー、
を設けたことを特徴とする請求項１記載の有線放送システムの分岐装置。
【請求項３】
前記分配回路基板及び前記シールドカバーには、これら各部を前記第２筐体に同時に固定するためのねじ孔が穿設され、
前記分配回路基板及び前記シールドカバーは、前記ねじ孔に基板固定用のねじを挿通することにより、前記第２筐体に形成された基板固定部に同時にねじ止めされることを特徴とする請求項２記載の有線放送システムの分岐装置。
【請求項４】
前記シールドカバーには、前記制御回路基板を固定するための基板固定部が形成され、前記制御回路基板は、該基板固定部との対応位置に穿設されたねじ孔に基板固定用のねじを挿入することにより、前記シールドカバーに形成された基板固定部にねじ止めされることを特徴とする請求項３記載の有線放送システムの分岐装置。
【請求項５】
前記制御回路基板には、前記分岐回路基板装着用の基台が設けられ、前記分岐回路基板は、該基台への装着部を有する樹脂ケースを介して、前記制御回路基板に固定されることを特徴とする請求項４記載の有線放送システムの分岐装置。
【請求項６】
前記分岐回路基板は、前記第１筐体側に固定された分岐回路接続用のコネクタに装着可能なコネクタを備え、前記第１筐体の開口部を前記第２筐体の開口部に嵌合した際、前記コネクタを介して、前記第１筐体側の入・出力端子に夫々接続されることを特徴とする請求項５記載の有線放送システムの分岐装置。
【発明の詳細な説明】
【０００１】
【発明の属する技術分野】
本発明は、センタ装置から端末側に至る伝送線を流れる伝送信号の一部を分岐させて加入者側の複数の端末装置に夫々出力する有線放送システムの分岐装置に関し、詳しくは、伝送信号を端末装置に出力するか否かをセンタ装置側で切換可能な有線放送システムの分岐装置に関する。
【０００２】
【従来の技術】
従来より、ＣＡＴＶシステム等、テレビ信号等の放送信号を、同軸ケーブル等からなる一本の伝送線を介して、加入者側の端末装置に伝送する有線放送システムにおいては、伝送線から放送信号を分岐させて加入者宅に引き込むために、伝送線に、信号引込用の分岐装置（所謂タップオフ）を設けている。
【０００３】
また、この分岐装置には、加入者側の要望等により、放送信号を加入者宅に配信するか否かを簡単に切り換えることができるようにしたものが知られている。即ち、伝送線から放送信号の一部を分岐させる分岐回路と、その分岐後の放送信号を加入者の端末装置側に出力する分岐出力端子との間の信号経路に、高周波の放送信号を低損失で通過させることのできるリレー（所謂高周波リレー）を設け、このリレーを、伝送線を介してセンタ装置側から送信されてきた指令信号に従い駆動することにより、信号経路の導通・遮断状態（換言すれば端末装置へ放送信号の出力するか否か）を、センタ装置側から簡単に切り換えることができるようにした分岐装置がそれである。
【０００４】
【発明が解決しようとする課題】
ところで、この種の分岐装置は、通常、屋外に配置されることから、分岐回路やリレー駆動用の制御回路等が、全て、導電性の密閉筐体内に組み込まれる。
このため、分岐回路にて伝送線から分岐させた放送信号を分岐出力端子まで導く放送信号の信号経路には、リレーの切換に伴い発生するノイズや、リレー駆動用の制御回路からのノイズが侵入し易く、分岐出力端子から出力される放送信号が劣化してしまうことがあった。
【０００５】
一方、こうした問題は、各種シールド材を使って、放送信号の信号経路をシールドするようにすればよい。
しかしながら、分岐装置には、伝送線を流れる放送信号を単に分岐させるだけでなく、分岐後の放送信号を更に複数に分配して、複数の分岐出力端子から夫々出力させるようにしたものがあり、こうした分岐装置では、分岐出力端子の数だけ放送信号の信号経路が形成され、しかもその経路上には各々リレーが設けられることから、高周波の放送信号の漏洩を防止するために、各信号経路を、専用のシールド材を使ってシールドするのは、スペース的に困難であるという問題があった。
【０００６】
つまり、分岐装置は、ＣＡＴＶシステム等の伝送線に直列に設けられるものであることから、小型化が要求され、密閉筐体の容積を大きくするには制限がある。一方、複数の分岐出力端子を備えた分岐装置では、密閉筐体内に組み込むリレー等の部品数が多くなる。この結果、複数の分岐出力端子を備えた分岐装置では、その筐体内にシールド材を収納するスペースが無くなり、専用のシールド材を用いて各信号経路をシールドすることは困難になるのである。
【０００７】
また、筐体内に複数のリレーを設けた場合、これらリレーを実装した回路基板において、放送信号の信号経路を形成する配線パターン間、或いは配線パターンとリレーとの間の容量結合等によって、高周波の放送信号が漏洩し、リレーをオフしているにもかかわらず、分岐出力端子から放送信号が出力されてしまうという問題もある。
【０００８】
本発明は、こうした問題に鑑みなされたものであり、伝送線を流れる伝送信号の一部を分岐させて複数の分岐出力端子から加入者側端末装置に夫々選択的に出力する有線放送システムの分岐装置において、各分岐出力端子に伝送信号を導く信号経路を簡単且つ確実にシールドできるようにすることを目的とする。
【０００９】
【課題を解決するための手段及び発明の効果】
かかる目的を達成するためになされた請求項１記載の分岐装置は、有線放送システムのセンタ装置から端末側に至る伝送線に直列に接続するための一対の入・出力端子を備えた第１筐体と、有線放送システムの伝送線を流れる伝送信号を加入者側端末装置に分岐出力するための複数の分岐出力端子を備えた第２筐体とを備える。そして、これら各筐体は、互いに嵌合可能な開口部を有し、その開口部同士を嵌合することにより、密閉筐体として機能する。
【００１０】
また、この第１筐体と第２筐体とからなる密閉筐体内には、
(1) 入・出力端子間を接続してこれら端子間で伝送信号を通過させると共にこの伝送信号の一部を分岐させる分岐回路が組み付けられた分岐回路基板、
(2) 分岐回路による分岐後の伝送信号を複数に分配して各分岐出力端子に夫々出力する分配回路と、この分配回路から各分岐出力端子に至る信号経路を夫々導通・遮断する複数のリレーとが組み付けられた分配回路基板、
(3) 分岐回路にて分岐された伝送信号を取り込み、その伝送信号に重畳されたセンタ装置から当該装置に対する指令信号を受信する受信回路と、この受信回路にて受信された指令信号に応じて各リレーを各々駆動することにより、各信号経路の導通・遮断状態をセンタ装置からの指令に従い制御する制御回路とが組み付けられた制御回路基板、
からなる３種の回路基板が、第２筐体側から、分配回路基板、制御回路基板、分岐回路基板の順で配置されて収納される。
【００１１】
そして、分配回路基板において、第２筐体と対向する側の基板面には、各リレーが実装され、しかも、各リレー、及び、各リレーと第２筐体側の各分岐出力端子との接続部を夫々囲むように接地用パターンが形成されており、第２筐体の分配回路基板との対向面には、各分岐出力端子の周囲を囲み、且つ、分配回路基板の接地用パターンに当接して、各リレー及び各リレーと各分岐出力端子との接続部を夫々隔離する隔壁が立設されている。
【００１２】
このため、上記各回路基板を密閉筐体内に収納した際には、分配回路基板の各リレーから分岐出力端子に至る信号経路が、分配回路基板の第２筐体側基板面に形成された接地用パターンと第２筐体に立設された隔壁とによりシールドされることになり、制御回路基板側で発生したノイズが、分配回路基板の各リレーから分岐出力端子に至る信号経路に侵入して、各分岐出力端子から出力される伝送信号が劣化するのを防止できる。
【００１３】
また、分配回路基板の接地用パターンと第２筐体側の隔壁とにより、各リレーから分岐出力端子に至る各信号経路の間、或いは各信号経路と他のリレーとの間を遮蔽できることから、リレーをオンして伝送信号の出力を許可している分岐出力端子側から、リレーをオフして伝送信号の出力を禁止している分岐出力端子側に、伝送信号が漏れ出す、といったことも防止できる。
【００１４】
そして、本発明では、こうしたシールドのために、第２筐体に立設した隔壁を使用することから、専用のシールド材を別途設ける従来装置に比べて、装置構成を簡単にできる。また、分岐出力端子の数が増えても、シールド用の部品点数が増加することはないので、装置の小型化を容易に図ることができる。
【００１５】
次に請求項２に記載の分岐装置は、請求項１記載の装置において、分配回路基板の制御回路基板と対向する側の基板面に、各リレーへの伝送信号入力用の配線パターンと、各リレーからの伝送信号出力用の配線パターンとを形成すると共に、これら各配線パターンの間に接地用パターンを形成し、更に、分配回路基板と前記制御回路基板との間に、シールドカバーを設けたものである。
【００１６】
そして、このシールドカバーは、分配回路から各リレーに至る配線パターンを被覆可能な板状部と、板状部の分配回路基板側の板面に立設され、分配回路基板の接地用パターンに当接して、各リレーへの伝送信号入力用の配線パターンと各リレーからの伝送信号出力用の配線パターンとを隔離する隔壁部とから構成される。
【００１７】
従って、請求項２に記載の分岐装置においては、分配回路基板の制御回路基板と対向する側の基板面に形成された配線パターンを、シールドカバーで覆うことにより、制御回路基板側に組み付けられた受信回路や制御回路の動作によって発生したノイズが、分配回路基板側の伝送信号通過用の信号経路に侵入するのを防止し、分岐出力端子から加入者側端末装置に出力される伝送信号が劣化するのをより確実に防止できる。
【００１８】
また、分配回路基板において、各リレーへの伝送信号入力用の配線パターンと、各リレーからの伝送信号出力用の配線パターンとの間には、接地用パターンが形成され、シールドカバーには、この接地用パターンに当接して、各配線パターンを離隔する隔壁部が設けられることから、リレーがオフ状態であるとき、伝送信号が入力用配線パターンから出力用配線パターンに漏れ出す、といったことも防止できる。よって、本発明（請求項２）によれば、リレーオフ時のアイソレーション（信号分離度）を高め、リレーオフ時に、分岐出力端子から加入者側端末装置に伝送信号が漏洩するのをより確実に防止できる。
【００１９】
次に、請求項３に記載の分岐装置は、請求項２に記載の装置において、分配回路基板及びシールドカバーに、これら各部を第２筐体に同時に固定するためのねじ孔を穿設しておき、そのねじ孔に基板固定用のねじを挿通することにより、分配回路基板とシールドカバーとを、第２筐体に形成された基板固定部に同時にねじ止めするようにしたものである。
【００２０】
従って、請求項３記載の分岐装置は、分配回路基板及びシールドカバーを密閉筐体内に組み込む際には、これら各部を、第２筐体に共通のねじで固定するだけで、これら各部の位置決めと筐体内への固定とを同時に行うことができ、分岐装置の組立作業を効率よく行うことができる。
【００２１】
また次に、請求項４に記載の分岐装置は、請求項３に記載の装置において、シールドカバーに、制御回路基板を固定するための基板固定部を形成しておき、制御回路基板を筐体内に固定する際には、制御回路基板の基板固定部との対応位置に穿設されたねじ孔にねじを挿入することにより、制御回路基板を、シールドカバーに形成された基板固定部にねじ止めするようにしたものである。
【００２２】
このため、請求項４に記載の分岐装置によれば、制御回路基板を密閉筐体内に収納・固定するための部品点数を減らし、分岐装置組立時の作業性を向上できる。
つまり、第２筐体に固定された分配回路基板の上に制御回路基板を配置するには、各回路基板が接触することのないよう、スペーサを設ける必要があるが、本発明（請求項４）では、シールドカバーがスペーサとして機能するため、専用のスペーサを別途設ける必要がなく、部品点数を減らすことができる。また、シールドカバーは、単にスペーサとして機能するだけでなく、制御回路基板を第２筐体へ固定するための固定部材としても機能することから、制御回路基板を第２筐体へ固定するための固定部材も別途設ける必要がなく、これによっても部品点数を減らすことができる。そして、このようにスペーサや固定部材を設ける必要がないので、分岐装置組立時の工数も低減でき、作業性を向上できる。
【００２３】
一方、請求項５に記載の分岐装置は、請求項４記載の装置において、制御回路基板に、分岐回路基板装着用の基台を設け、分岐回路基板を、この基台への装着部を有する樹脂ケースを介して、制御回路基板に固定するようにしたものである。
【００２４】
このため、請求項５記載の分岐装置によれば、分岐装置を組み立てる際には、後述実施例のように、まず第２筐体に、分配回路基板とシールドカバーとを同時にねじ止め固定し、その上に制御回路基板を積層して、制御回路基板をシールドカバーにねじ止め固定し、更に、その上に分岐回路基板を固定する、といった手順で、第２筐体に各回路基板を順に固定し、その後、第１筐体を第２筐体の上から被せて、密閉するようにすればよく、本発明の分岐装置を極めて簡単に組み立てることができる。
【００２５】
尚、分岐回路基板には分岐回路が組み付けられ、その分岐回路は、第１筐体側に設けられた入・出力端子間を接続して、この端子間で伝送信号を通過させると共に、この伝送信号の一部を分岐させるものであるため、請求項５に記載のように、分岐回路基板を、第２筐体側に固定された制御回路基板の上に固定するようにすると、各回路基板が組み付けられた第２筐体の上に第１筐体を被せる前に、第１筐体側の入・出力端子と分岐回路とを接続する必要があるが、こうした接続作業を簡単に行うようにするためには、請求項６に記載のように、分岐回路基板及び第１筐体側に互いに装着可能なコネクタを設けておき、第１筐体の開口部を第２筐体の開口部に嵌合した際に、そのコネクタを介して、第１筐体側の入・出力端子と分岐回路とを同時に接続できるようにすればよい。
【００２６】
【発明の実施の形態】
以下に本発明の実施例を図面と共に説明する。
図１は、本発明が適用された実施例のＣＡＴＶシステムの概略構成図であり、図２は、このＣＡＴＶシステムの伝送線（具体的には同軸ケーブル）に設けられた分岐装置の内部構成を表す電気回路図である。
【００２７】
図１に示す如く、本実施例のＣＡＴＶシステムは、センタ装置２から端末側へと、伝送線４を介して所定周波数帯（例えば、５０ＭＨｚ〜７７０ＭＨｚ）の放送信号を伝送し、伝送線４上に設けられた多数の分岐装置６を介して当該システムの加入者宅に放送信号を配信するものである。
【００２８】
このため、センタ装置２には、人工衛星や地上局から送信されたテレビ放送信号を受信する受信アンテナ、ビデオテープやビデオディスクに録画されたテレビ信号を再生するビデオ機器、自主放送用のテレビカメラ等を使って、システム内での放送用の多数のテレビ信号を生成し、各テレビ信号を予め設定されたチャンネルに対応した伝送周波数の放送信号に変換して、伝送線４に送出する放送設備１０が備えられている。
【００２９】
また、センタ装置２には、伝送線４に設けられた分岐装置６等の電子機器に対して、その動作状態を制御するための指令信号を伝送するため、必要に応じて、各電子機器に予め割り当てられたアドレスと指令内容を表すコマンドとからなる送信データを生成するヘッドエンドコントローラ１２、ヘッドエンドコントローラ１２からの送信データを、例えばＦＳＫ変調によって、所定周波数帯（例えば、７０ＭＨｚ）の伝送用指令信号に変換する変調器１４、及び、変調器１４から出力された指令信号を、放送設備１０から出力された放送信号と混合して、伝送線４に送出させる混合器１６が備えられている。
【００３０】
尚、ヘッドエンドコントローラ１２は、センタ装置２に設けられたシステム管理用端末装置（コンピュータ）１８、或いは、電話回線等を介して接続される顧客管理用コンピュータ２０からの指令に従い、送信データを生成して、ＣＡＴＶシステム内の各種電子機器に、その動作状態を制御するための指令信号を出力するものであり、通信機能を有するコンピュータにて構成されている。
【００３１】
一方、伝送線４には、伝送線４上の分岐装置６や図示しない増幅器等に動作用の電力を供給する電源装置２２が接続されている。この電源装置２２は、商用電源から電源供給を受けて動作し、伝送線４に対して、例えば、周波数６０Ｈｚ、電圧４５Ｖ〜９０Ｖ程度の電力信号を重畳するものであり、電力供給対象となる電子機器の電力消費量等を考慮して、複数の電子機器に対して１台の割で伝送線４上に分散して設けられる。
【００３２】
次に、分岐装置６は、センタ装置２に直接接続される幹線、幹線に設けられた幹線分岐増幅器や分岐器等を介して幹線から分岐した分岐線、或いは、この分岐線から更に分岐した枝線等、ＣＡＴＶシステムにおける任意の伝送線４に設けられて、その付近の加入者宅に放送信号を配信するための所謂タップオフであり、複数の分岐出力端子を備える（図１では４個の分岐出力端子を備えたものと２個の分岐出力端子を備えたものを表す）。
【００３３】
図２に示す如く、分岐装置６は、伝送線４のセンタ装置２側に接続される入力端子Ｔinと、伝送線４の端末側に接続される出力端子Ｔout と、複数（図２では４個）の分岐出力端子Ｔ１，Ｔ２，Ｔ３，Ｔ４とを備える。そして、入力端子Ｔinと出力端子Ｔout との間には、電源装置２２から伝送線４に重畳された低周波の電力信号を通過させ、センタ装置２から伝送線４に送出された放送信号及び指令信号（以下、これらを総称して単に伝送信号という。）の通過を阻止するチョークコイルＬ１が接続され、更に、チョークコイルＬ１の両端（換言すれば入・出力端子Ｔin，Ｔout ）には、夫々、低周波の電力信号を遮断し、伝送信号を通過させるコンデンサＣ１，Ｃ２の一端が接続されている。また、コンデンサＣ１，Ｃ２の他端は、これらを直接接続するか、或いは分岐回路３０を介して接続するかを切り換える切換スイッチ３２に接続されている。
【００３４】
分岐回路３０は、コンデンサＣ１，Ｃ２の他端を接続することにより、入力端子Ｔinから入力された伝送信号を出力端子Ｔout 側に出力させると共に、その伝送信号の一部を分岐出力端子Ｔ１，Ｔ２，…側に分岐させるためのものである。そして、チョークコイルＬ１、コンデンサＣ１，Ｃ２及び切換スイッチ３２は、専用の切換回路基板Ｐ４に組み付けられ、分岐回路３０はこれとは別の分岐回路基板Ｐ３に組み付けられている。
【００３５】
尚、切換回路基板Ｐ４は、図３に示すように、入力端子Ｔin及び出力端子Ｔout を構成する伝送線（同軸ケーブル）接続用の接栓が側壁に設けられた第１筐体Ｈ１に、直接ねじ止め固定される。また、これら各回路基板Ｐ３，Ｐ４には、着脱自在に嵌合可能な一対のコネクタＣａ，Ｃｂ、Ｃｃ，Ｃｄが夫々設けられており、これら各コネクタＣａ−Ｃｃ、Ｃｂ−Ｃｄを介して、分岐回路３０と切換スイッチ３２とを接続できるようにされている。
【００３６】
また、切換スイッチ３２は、常時は、図示しないばねの付勢力によって、接点が、コンデンサＣ１，Ｃ２の他端を直接接続する位置に保持され、各コネクタＣａ〜Ｃｄを介して、切換回路基板Ｐ４に分岐回路基板Ｐ３が装着されると、接点が、分岐回路基板Ｐ３からの付勢力によって、コンデンサＣ１，Ｃ２の他端を分岐回路３０に接続する位置に切り換えられる、自動切換式のスイッチである。このため、切換回路基板Ｐ４は、分岐回路基板Ｐ３を装着しなければ、伝送線４を流れる電力信号及び伝送信号を、チョークコイルＬ１及びコンデンサＣ１，Ｃ２を介して通過させるバイパス回路となり、伝送線４を流れる伝送信号に対して何ら影響を与えることはない。
【００３７】
次に、分岐回路３０にて分岐された伝送信号は、分配回路（図では４分配回路）３４に入力され、分配回路３４にて、分岐出力端子Ｔ１，Ｔ２，…の数に対応した分配数で分配される。そして、その分配後の伝送信号は、夫々、伝送信号のみを通過させ、低周波の電力信号の通過を阻止するコンデンサ（図では４個）Ｃ３，Ｃ４，Ｃ５，Ｃ６を介して、各分岐出力端子Ｔ１，Ｔ２，…に伝達され、各分岐出力端子Ｔ１，Ｔ２，…から、これに接続された加入者側端末装置に出力される。
【００３８】
また、分配回路３４から各分岐出力端子Ｔ１，Ｔ２，…に至る信号経路には、夫々、その信号経路を導通・遮断するためのラッチングリレー（図では４個；以下、単にリレーという）４１，４２，４３，４４が設けられ、更に、分岐回路３０から分配回路３４に至る伝送信号の信号経路には、この経路を通過する伝送信号の一部を分岐させる第２の分岐回路３６が設けられている。そして、この分岐回路３６にて分岐された伝送信号は、受信回路４６に入力される。
【００３９】
受信回路４６は、分岐回路３６から入力される伝送信号の中から指令信号を選択的に受信し、ヘッドエンドコントローラ１２が出力した送信データを復元するものであり、その復元されたデータ（受信データ）は、制御回路４７に入力される。
【００４０】
制御回路４７は、ＣＰＵ，ＲＯＭ，ＲＡＭ等からなる１チップマイクロコンピュータを中心に構成されている。そして、制御回路４７は、受信回路４６から受信データが入力されると、その受信データに基づき、駆動回路４８を介して、各リレー４１，４２，…を駆動し、各分岐出力端子Ｔ１，Ｔ２，…から伝送信号を出力させるか否かを切り換える。
【００４１】
また、分岐装置６には、出力端子Ｔout にチョークコイルＬ２を介して接続された電源回路４９が内蔵されている。チョークコイルＬ２は、伝送線４を流れる電力信号の一部を電源回路４９側に取り込み、伝送信号が電源回路４９側に流れるのを阻止するためのものであり、電源回路４９は、このチョークコイルＬ２を介して入力された電力信号から、各リレー４１，４２，…のオン・オフ状態切換用の電源電圧Ｖ１（例えば直流２４Ｖ）と、受信回路４６及び制御回路４７を定電圧駆動するための電源電圧Ｖ１（例えば直流５Ｖ）とを生成する。
【００４２】
即ち、電源回路４９は、チョークコイルＬ２を介して入力される電力信号を整流・平滑化し、その整流・平滑化後の電力信号から、３端子レギュレータ等を用いて、上記２種類の電源電圧Ｖ１，Ｖ２を生成し、駆動回路４８にリレー切換用の電源電圧Ｖ１を供給すると共に、受信回路４６及び制御回路４７に動作用の電源電圧Ｖ２を供給する。
【００４３】
尚、各分岐出力端子Ｔ１，Ｔ２，…への伝送信号の信号経路を遮断するために、リレー４１，４２，…をオフした際、その信号経路が開放状態となって、その開放端から伝送信号が分配回路３４側に反射することのないよう、各リレー４１，４２，…には、オフ状態になった際に、その信号経路を終端するための終端抵抗Ｒｏ（当該ＣＡＴＶシステムの信号伝送系のインピーダンス（一般に５０Ω又は７５Ω）に対応した抵抗値を有する抵抗）が設けられている。
【００４４】
次に、分配回路３４，第２の分岐回路３６，リレー４１，４２，…，コンデンサＣ３，Ｃ４，…は分配回路基板Ｐ１に組み付けられ、受信回路４６，制御回路４７，駆動回路４８，及び電源回路４９は、制御回路基板Ｐ２に組み付けられる。
【００４５】
そして、図３に示すように、分配回路基板Ｐ１は、分岐出力端子Ｔ１，Ｔ２，…を構成する伝送線（同軸ケーブル）接続用の接栓が設けられた第２筐体Ｈ２に直接ねじ止め固定され、各リレー４１，４２，…からコンデンサＣ３，Ｃ４，…を介して延設された伝送信号出力用の信号経路（詳しくは、分配回路基板Ｐ１の伝送信号出力用の配線パターン）は、第２筐体Ｈ２側に固定された分岐出力端子Ｔ１，Ｔ２，…を構成する接栓の中心電極に接続される。
【００４６】
また、制御回路基板Ｐ２は、分配回路基板Ｐ１と共に第２筐体Ｈ２に固定されるシールドカバーＳ１を介して、分配回路基板Ｐ１の上に配置・固定され、更に、上記分岐回路基板Ｐ３は、制御回路基板Ｐ２の分配回路基板Ｐ１とは反対側の基板面に装着された取付金具Ｋ１、及び、取付金具Ｋ１に着脱自在に装着可能な樹脂ケースＫ２を介して、制御回路基板Ｐ２の上に配置・固定される。尚、取付金具Ｋ１は、請求項５に記載の基台に相当する。
【００４７】
そして、制御回路基板Ｐ２と分配回路基板Ｐ１とは、図示しないコネクタを介して互いに接続され、制御回路基板Ｐ２から分配回路基板Ｐ１側にリレー駆動用の駆動信号を出力したり、逆に分岐回路３６にて分岐された伝送信号を分配回路基板Ｐ１側から制御回路基板Ｐ２側に出力できるようにされている。
【００４８】
また、分配回路基板Ｐ１の制御回路基板Ｐ２側基板面には、分岐回路基板Ｐ３の分岐回路３０にて分岐された伝送信号を取り込むための、同軸ケーブルと同形状の接続端子Ｔｓが立設されている。そして、制御回路基板Ｐ２には、この接続端子Ｔｓを挿通するための挿通孔が穿設されており、分岐回路基板Ｐ３の制御回路基板Ｐ２側基板面には、この挿通孔を通した接続端子Ｔｓの先端に嵌合可能なコネクタＣｓが設けられている。このため、分岐回路３０からの分岐出力は、コネクタＣｓ及び接続端子Ｔｓを介して、分配回路基板Ｐ１側に伝達される。
【００４９】
また、第１筐体には、出力端子Ｔout に接続されたチョークコイルＬ２が組み付けられた基板Ｐ５が固定されており、制御回路基板Ｐ２の第１筐体Ｈ１側基板面には、この基板Ｐ５の配線パターンに当接して、チョークコイルＬ２から電力信号を取り込むための接続端子Ｔｔが立設されている。従って、制御回路基板Ｐ２に組み込まれた電源回路４９には、この接続端子Ｔｔを介して電力信号が入力される。
【００５０】
次に、第１筐体Ｈ１及び第２筐体Ｈ２は、互いに嵌合可能な開口部Ｏ１，Ｏ２を有し、この開口部Ｏ１，Ｏ２を嵌合してねじ止めすることにより、密閉筐体を構成するためのものであり、導電性金属であるアルミダイキャストにて構成されている。
【００５１】
そして、図４に示すように、第２筐体Ｈ２の内側には、分配回路基板Ｐ１を載置してねじ止めするための基板固定部５２が、その周囲４隅と、分岐出力端子Ｔ１，Ｔ２，…を構成する接栓が取り付けられる中央部とに形成されている。また、第２筐体Ｈ２には、基板固定部５２にねじ止め固定した分配回路基板Ｐ１の上に、シールドカバーＳ１の高さで決まる所定間隔を空けて、制御回路基板Ｐ２を配置し、ねじ止めするための基板固定部５６が、周囲４隅に形成されており、制御回路基板Ｐ２を、この基板固定部５６とシールドカバーＳ１とを使って、第２筐体Ｈ２に固定できるようにされている。
【００５２】
尚、第２筐体Ｈ２には、分岐出力端子Ｔ１，Ｔ２，…を構成する接栓を固定するための接栓固定部５４が、２列に分けて各列等間隔で４カ所（合計８カ所）形成されており、基板固定部５２は、各接栓固定部５４の近傍に夫々形成されている。このため、第２筐体Ｈ２には、分岐回路３０にて分岐された伝送信号を最大８分配して出力可能な分配回路基板Ｐ１を組み込み可能であり、図２に示したように伝送信号を４分配する分配回路基板Ｐ１を組み込む際には、８個の接栓固定部５４の内、不要な４箇所をめくら栓等で閉塞することにより、使用される。
【００５３】
一方、分配回路基板Ｐ１は、分配回路３４として８分配回路を設け、分配回路３４からの分配出力を夫々リレーを介して導通・遮断できるように、最大８個のリレー４１，４２，…を実装可能に構成されている。そして、その最大８個のリレーは、分配回路基板Ｐ１を第２筐体Ｈ２に組み付けたときに第２筐体Ｈ２と対向する側の基板面に、第２筐体Ｈ２側の接栓との対応位置を避けて、２列に等間隔で実装できるようにされており、その基板面には、図５に示すように、実装されたリレー４１，４２，…、及び、第２筐体Ｈ２側の接栓（分岐出力端子）の中心電極を挿通する挿通孔５８を夫々囲むように、接地用の配線パターン（接地用パターン）６０が形成され、しかも、その接地用パターン６０の一部は、半田メッキされて、表面に露出している。
【００５４】
また、第２筐体Ｈ２の分配回路基板Ｐ１との対向面には、分岐出力端子Ｔ１，Ｔ２，…を構成する各接栓の周囲を囲み、且つ、分配回路基板Ｐ１の接地用パターン６０に当接して、分配回路基板Ｐ１に実装されたリレー４１，４２，…及び挿通孔５８を夫々隔離する隔壁が一体形成されている。
【００５５】
尚、この隔壁６２は、分配回路基板Ｐ１の第２筐体Ｈ２への載置台としても機能することから、基板固定部５２と同じ高さに設定されており、しかも、基板固定部５２から連続的に形成されている。また、分配回路基板Ｐ１には、第２筐体Ｈ２の基板固定部５２との対応位置に、ねじを挿入するためのねじ孔５９が穿設されるが、そのねじ孔５９の周囲にも、接地用パターン６０が形成され、分配回路基板Ｐ１を基板固定部５２にねじ止めすることにより、分配回路基板Ｐ１の接地用パターン６０を第２筐体Ｈ２に確実に接続できるようにされている。
【００５６】
次に、分配回路基板Ｐ１の第２筐体Ｈ２とは反対側の基板面には、図６に示す如く、各リレー４１，４２，…に至る伝送信号の入力経路を構成する配線パターン６３、及び、各リレー４１，４２，…から挿通孔５８周囲の端子接続部６４に至る伝送信号の出力経路を構成する配線パターン６６が、他の配線パターン（分配回路３４形成用の配線パターン等）と共に形成されている。
【００５７】
そして、これら各配線パターン６３，６６の周囲には、一般的な高周波回路基板と同様、接地用パターン６８が形成されるが、本実施例では、特に、伝送信号の入力経路を構成する配線パターン６３と、伝送信号の出力経路を構成する配線パターン６６とを隔離するように接地用パターン６８が形成され、しかも、端子接続部６４周囲では、接地用パターン６８の一部が表面に露出しており、その露出部分が半田メッキされている。尚、図６において、伝送信号入出力用の配線パターン６３，６６等、点線で記載したパターンは、表面に絶縁皮膜であるレジスト層が形成されたパターンを表す。
【００５８】
また、分配回路基板Ｐ１に積層されるシールドカバーＳ１は、分配回路基板Ｐ１において、分配回路３４から各リレー４１，４２，…に至る配線パターンを被覆可能な板状部７０と、分配回路基板Ｐ１において半田メッキされた端子接続部６４周囲の接地用パターンに当接して、伝送信号入出力用の配線パターン６３，６６を離隔する隔壁部７２とから構成されている。
【００５９】
そして、シールドカバーＳ１には、分配回路基板Ｐ１に穿設されたねじ孔５９との対応位置にねじ孔７４が形成されており、第２筐体Ｈ２の中央に形成された基板固定部５２に対しては、図７に示す如く、シールドカバーＳ１側よりこれら各ねじ孔７４，５９にねじを挿通することにより、シールドカバーＳ１と分配回路基板Ｐ１とを同時にねじ止めできるようにされている。
【００６０】
尚、シールドカバーＳ１は、第１筐体Ｈ１及び第２筐体Ｈ２と同様、アルミダイキャストからなり、板状部７０と隔壁部７２とは一体形成されている。また、シールドカバーＳ１は、図７に示すように、分配回路基板Ｐ１の長手方向に沿って２つに分割されており、各シールドカバーＳ１は、夫々、第２筐体Ｈ２の中央に形成された８箇所の基板固定部５２の内の左右４カ所に固定できるようにされている。
【００６１】
また次に、図７に示すように、左右のシールドカバーＳ１には、制御回路基板Ｐ２を固定するための一対の基板固定部７６が一体形成されており、制御回路基板Ｐ２には、この基板固定部７６との対応位置、及び、第２筐体Ｈ２に形成された基板固定部５６との対応位置に、夫々、ねじ孔８０が穿設されている。そして、制御回路基板Ｐ２は、分配回路基板Ｐ１とシールドカバーＳ１とを第２筐体Ｈ２に同時にねじ止めした後、分配回路基板Ｐ１の上に載置されて、上記各基板固定部７６，５６にねじ止めされる。
【００６２】
尚、制御回路基板Ｐ２の分配回路基板Ｐ１とは反対側には、分岐回路基板Ｐ３を樹脂ケースＫ２を介して固定するための取付金具Ｋ１が設けられるが、この取付金具Ｋ１には、シールドカバーＳ１の基板固定部７６との対応位置に固定用のねじ孔８２が形成されており、制御回路基板Ｐ２をシールドカバーＳ１にねじ止めする際、ねじをこのねじ孔８２から制御回路基板Ｐ２側のねじ孔８０に挿通することにより、制御回路基板Ｐ２の第２筐体Ｈ２への固定時に、同時に固定できるようにされている。
【００６３】
以上説明したように、本実施例の分岐装置においては、分岐回路３０を分岐回路基板Ｐ３に、受信回路４６，制御回路４７，駆動回路４８，及び電源回路４９を制御回路基板Ｐ２に、分配回路３４，第２の分岐回路３６，リレー４１，４２，…及びコンデンサＣ３，Ｃ４，…を分配回路基板Ｐ１に、夫々形成し、これら各回路基板Ｐ１，Ｐ２，Ｐ３を、順に第２筐体Ｈ２に固定することにより、第１筐体Ｈ１と第２筐体Ｈ２とからなる密閉筐体内に収納するようにされている。
【００６４】
そして、密閉筐体内に収納した状態では、分配回路基板Ｐ１から第２筐体Ｈ２に設けられた分岐出力端子（接栓）Ｔ１，Ｔ２，…に至る伝送信号の経路及びこれら各経路と各リレー４１，４２，…との間が、分配回路基板Ｐ１に形成された接地用パターン６０と第２筐体Ｈ２に立設された隔壁６２とによって、各々分離される。このため、制御回路基板Ｐ２側で発生したノイズが、分配回路基板Ｐ１から分岐出力端子Ｔ１，Ｔ２，…への伝送信号の信号経路に侵入して、各分岐出力端子Ｔ１，Ｔ２，…から出力される伝送信号が劣化するのを防止できる。
【００６５】
また、本実施例では、分配回路基板Ｐ１の制御回路基板Ｐ２側基板面に、各リレー４１，４２，…への伝送信号の入出力経路である配線パターン６３，６６を形成し、伝送信号出力用の配線パターン６６と分岐出力端子Ｔ１，Ｔ２，…の中心電極との接続も、この基板面に形成された端子接続部６４を介して行うようにしているが、この端子接続部６４の周囲には、接地用パターン６８が形成され、しかも、この接地用パターン６８は、伝送信号入出力用の配線パターン６３，６６の間に配置され、更に、この接地用パターン６８にはシールドカバーＳ１の隔壁部７２が当接されて、端子接続部６４及び伝送信号出力用の配線パターン６６と、伝送信号入力用の配線パターン６３とが、完全に隔離される。このため、本実施例の分岐装置によれば、各リレー４１，４２，…への伝送信号入力経路から出力経路に伝送信号が漏れ出すのを防止することができる。
【００６６】
また、本実施例では、第２筐体Ｈ２に分配回路基板Ｐ１をねじ止め固定する際に、シールドカバーＳ１を同時に固定し、更に、その上から制御回路基板Ｐ２を固定する際には、制御回路基板Ｐ２を、第２筐体Ｈ２だけでなく、シールドカバーＳ１にもねじ止めするようにされている。また、分岐回路基板Ｐ３については、樹脂ケースＫ２に収納し、この樹脂ケースＫ２を、制御回路基板Ｐ２をシールドカバーＳ１にねじ止め固定する際に同時に固定した取付金具Ｋ１に固定することにより、第２筐体Ｈ２側に固定するようにされている。このため、上記各回路基板Ｐ１，Ｐ２，Ｐ３を密閉筐体内に収納・固定するのに必要な部品点数を減らし、分岐装置を効率よく組み立てることができるようになる。
【００６７】
また、分岐回路基板Ｐ３と、第１筐体Ｈ１側の入・出力端子Ｔin，Ｔout との接続は、第１筐体Ｈ１側にねじ止め固定した切換回路基板Ｐ４介して行い、しかも、これら各回路基板Ｐ３，Ｐ４同士の接続は、コネクタＣａ〜Ｃｄを使って行うようにしているので、第２筐体Ｈ２への各回路基板Ｐ１，Ｐ２，Ｐ３の組み付け後、第１筐体Ｈ１を第２筐体Ｈ２に被せるだけで、分岐回路基板Ｐ３と入・出力端子Ｔin，Ｔout とを簡単に接続することができる。
【図面の簡単な説明】
【図１】  実施例のＣＡＴＶシステムの構成を表す概略構成図である。
【図２】  分岐装置の構成を表す電気回路図である。
【図３】  分岐装置を構成する各回路基板の密閉筐体への収納状態を表す断面図である。
【図４】  各回路基板が固定される第２筐体の内部構造を説明する平面図である。
【図５】  第２筐体の隔壁と分配回路基板の配線パターンとの関係を表す説明図である。
【図６】  シールドカバーの隔壁と分配回路基板の配線パターンとの関係を表す説明図である。
【図７】  第２筐体への各回路基板の固定手順を説明する分解斜視図である。
【符号の説明】
２…センタ装置、４…伝送線、６…分岐装置、３０…分岐回路、３２…切換スイッチ、３４…分配回路、３６…第２の分岐回路、４１，４２，４３，４４…リレー、４６…受信回路、４７…制御回路、４８…駆動回路、４９…電源回路、Ｈ１…第１筐体、Ｈ２…第２筐体、Ｐ１…分配回路基板、Ｐ２…制御回路基板、Ｐ３…分岐回路基板、５２，５６…基板固定部、５４…接栓固定部、５８…挿通孔、５９，７４，８０，８２…ねじ孔、６０，６８…接地用パターン、６２…隔壁、６３，６６…配線パターン、６４…端子接続部、７０…板状部、７２…隔壁部、７６…基板固定部、Ｃａ，Ｃｂ，Ｃｃ，Ｃｄ，Ｃｓ…コネクタ、Ｋ１…取付金具、Ｋ２…樹脂ケース、Ｏ１，Ｏ２…開口部、Ｓ１…シールドカバー、Ｔin…入力端子、Ｔout …出力端子、Ｔ１，Ｔ２，Ｔ３，Ｔ４…分岐出力端子、Ｔｓ，Ｔｔ…接続端子。
【図１】
0004302229.tif 000002
【図２】
0004302229.tif 000003
【図３】
0004302229.tif 000004
【図４】
0004302229.tif 000005
【図５】
0004302229.tif 000006
【図６】
0004302229.tif 000007
【図７】
0004302229.tif 000008